(57)【要約】【課題】【解決手段】本発明は、外側スリーブ４と、外側スリーブに対して変位可能である摺動スリーブ２とを備える、注射可能な製剤の投薬分を注射装置から投与する投薬装置に関する。摺動スリーブは、外側スリーブの相手方ストッパ４ａに隣接する第一のストッパ２ａを有する少なくとも１つの可撓性要素２ｃを備え、該第一のストッパは外側スリーブと摺動スリーブとの間の相対的な変位を規定することができる。
2008510532.tif 000002
【特許請求の範囲】
【請求項１】
注射可能な製剤の設定された投薬分を注射装置から投与する投薬量設定機構において、外側スリーブ（４）と、該外側スリーブ（４）に対して変位可能な前方に変位可能なスリーブ（２）とを備え、該前方に変位可能なスリーブ（２）は、少なくとも１つの変位可能な要素、好ましくは、可撓性の要素（２ｃ）を有し、該可撓性の要素（２ｃ）は、外側スリーブ（４）の相補的なストッパ（４ａ）に対して位置し且つ、外側スリーブ（４）と前方に変位可能なスリーブ（２）との間の相対的な動作を制限することができる第一のストッパ（２ａ）を備える、投薬量設定機構。
【請求項２】
請求項１に記載の投薬量設定機構において、前方に変位可能なスリーブ（２）と固定状態に接続された設定要素又はノブ（５）を有する、投薬量設定機構。
【請求項３】
請求項１又は２に記載の投薬量設定機構において、可撓性の要素（２ｃ）は、アーム、特に前方に変位可能なスリーブ（２）の切欠き内に弾性的に取り付けられたアームである、投薬量設定機構。
【請求項４】
請求項１ないし３の何れか１つの項に記載の投薬量設定機構において、第一のストッパ（２ａ）は、可撓性の要素（２ｃ）から突き出して立ち上がるカム及び（又は）耳状突起である、投薬量設定機構。
【請求項５】
請求項１ないし４の何れか１つの項に記載の投薬量設定機構において、前方に変位可能なスリーブ（２）は、外側スリーブ（４）内に変位可能に取り付けられる、投薬量設定機構。
【請求項６】
請求項１ないし５の何れか１つの項に記載の投薬量設定機構において、前方に変位可能なスリーブ（２）に第二のストッパ（２ｂ）が設けられる、投薬量設定機構。
【請求項７】
請求項１ないし６の何れか１つの項に記載の投薬量設定機構において、少なくとも１つの凹所（１ａ、１ｃ）を有する歯付きバー（１）を備える、投薬量設定機構。
【請求項８】
請求項１ないし７の何れか１つの項に記載の投薬量設定機構において、歯付きバー（１）は、傾斜路（１ｂ）によって歯付きバーの軸方向に向けて互いに分離された少なくとも２つの凹所（１ａ、１ｃ）を有する、投薬量設定機構。
【請求項９】
請求項１ないし８の何れか１つの項に記載の投薬量設定機構において、前方に変位可能なスリーブ（２）と、外側スリーブ（４）と及び（又は）外側スリーブ（４）に接続された案内片（３）とは、それぞれのスリーブ又は案内片（２、３、４）の弾性アームに取り付けられ且つ、歯付きバー（１）の歯部内に位置することができることが好ましい捕捉要素（２ｃ、３ａ）を備える、投薬量設定機構。
【請求項１０】
請求項１ないし９の何れか１つの項に記載の投薬量設定機構を備える注射装置。
【請求項１１】
設定された投薬分にて注射可能な製剤の注射装置からの分与を準備する方法において、注射装置の第一の引っ張り動作は、前方に変位可能なスリーブ（２）の第一のストッパ（２ａ）が外側スリーブ（４）の相補的なストッパ（４ａ）と当接することにより第一の所定の距離の後、制限され、第一の投薬分、例えば、プライミング投薬分は、好ましくは、プライミング目的のため、歯付きバー（１）又はプランジャロッドを押すことによって分与され、前方に変位可能なスリーブ（２）の第一のストッパ（２ａ）による外側スリーブ（４）と前方に変位可能なスリーブ（２）との間の相対的な動作に対する制限は、プライミング投薬分を分与する間に又は分与した後に解放される、方法。
【発明の詳細な説明】
【技術分野】
【０００１】
本発明は、注射可能な製剤の設定した投薬分を注射装置から投与する投薬量設定機構、特に、例えば、注射装置内にてアンプルから物質を分与するとき、順序制御を実現してプライミング投薬分及びこのプライミング投薬分と相違する分与すべき投薬分を設定することを容易にするため使用される投薬量設定機構に関する。
【背景技術】
【０００２】
インスリン又はホルモンのような医療物質又は医薬の投薬分を投与する設計とされた、例えば、注射ペンのような注射装置は、最初にプライミング操作と称される時間の間プライミング量を分与し、これによって注射装置の針から注射すべき特定の少量の製剤を突き出すことにより、空気及び残留する全ての物質はプライミング操作によって注射を実行せずに注射カニューレから排出される設計とされている。その後に、注射すべき物質のより標準の多量の投薬分を設定することができる。
【０００３】
既知の注射ペンにて、回転可能な投薬分計量供給スリーブが提供され、該回転可能な投薬分計量供給スリーブは、異なるストッパを有しており、また、例えば段付き要素の形態にて設けられる。歯付きバー又はプランジャロッドの異なる行程長さは、投薬分計量供給スリーブによって設定することができる。ユーザは、通常、少なくとも２つの異なる投薬分、すなわち、プライミングのために分与すべき少量の物質の投薬分、次に、投与すべき投薬分を設定し、その後、この投薬分を注射装置によって注射することになる。
【発明の開示】
【発明が解決しようとする課題】
【０００４】
投与すべき物質の一定の予め規定された量又は投薬分を注射しなければならない状況のときでさえ、ユーザは、最初にプライミング量を設定することが依然として必要であり、その結果、ユーザの側にて不正確に操作し、例えば、投与すべき投薬分がプライミングのために使用されたり、又はプライミング投薬分が注射されることさえもある。
【０００５】
本発明の１つの目的は、特に、プライミングする間、ユーザにとって注射装置の操作を便利なものにする、注射装置から注射可能な製剤の設定した投薬分を投与する投薬量設定機構を提案することである。
【課題を解決するための手段】
【０００６】
この目的は、請求項１に記載した投薬量設定機構によって実現される。有益な実施の形態は従属請求項に記載されている。
設定した投薬分の注射可能な製剤を注射装置から投与すべく本発明により提案される投薬量設定機構は、外側スリーブと、該外側スリーブに対して変位可能である前方に変位可能なスリーブとを備えている。本発明の目的上、前方に変位可能なスリーブには、第一のストッパを有する少なくとも１つの変位可能な要素、好ましくは、可撓性の要素が設けられる。該第一のストッパは、外側スリーブの相補的なストッパに対向する位置にあり且つ、外側スリーブと前方に変位可能なスリーブとの間の相対的な動きを制限することができる。第一のストッパ手段を備える、本発明にて提案されるかかる変位可能な要素又は可撓性の要素を提供することは、例えば、プランジャを押すことにより、物質をアンプルから分与し得るように動くようなプロファイルにてプランジャロッド又は歯付きバー又は別の前方に変位可能な要素が設けられるならば、可撓性の要素又は該可撓性の要素に配置された位置決め片は、例えば、歯付き部の凹所内に位置して第一のストッパを次の位置、すなわち前方に変位可能なスリーブが外側スリーブに対して自由に動くことができるようにする位置まで動かすことを意味する。変位可能な要素又は可撓性の要素又は該要素に配設された位置決め片は、歯付きバーの傾斜路又は別のプロファイルを介して前方に変位可能なスリーブに対して押されるとき、換言すれば、例えば、歯付き側の傾斜路によって半径方向に向けて外方に押されるとき、前方に変位可能な要素に設けられた本発明により提案される第一のストッパは次の位置、すなわち外側スリーブと前方に変位可能なスリーブとの間の相対的な動きが外側スリーブに設けられた相補的なストッパが前方に変位可能なスリーブのストッパと反対方向に動くため、制限され、このため、当接したとき、その動きが停止される位置まで動くことができる。特に、外側スリーブの相補的なストッパが前方に変位可能なスリーブの第一のストッパに対向する位置に位置する迄、前方に変位可能なスリーブは動き、これにより前方に変位可能なスリーブの更なる動きを制限することを可能にするよう第一のストッパは、前方に変位可能なスリーブに配設されるものとする。別の選択肢は、第一のストッパは歯付きバーの傾斜路によって当接する位置まで押されず、前方に変位可能なスリーブが外側スリーブに対して動いた後、更なる動きを防止する妨害状態が実現されるよう配設されるようにすることである。本発明の意味において、ストッパは、２つの部分、すなわちスリーブの相対的な動きを制限し又は停止させることのできる任意の要素とすることができる。
【０００７】
ユーザによる操作を容易にするためノブに接続することができる前方に変位可能なスリーブが、例えば、ノブを引き出すことにより、注射装置における引っ張り動作の一部として後方に引っ張られたとき、換言すれば、注射装置の分与端部と反対側の注射装置の一端に向けて引っ張られたとき、注射装置は、該装置が第一のストッパのため、外側スリーブを相補的なストッパに対向する位置となる迄のみ引っ張ることができる。このことは、前方に変位可能なスリーブにおけるストッパと外側スリーブの相補的なストッパとの間の距離が注射装置を引っ張る動作の最大の可能な距離、従って分与すべき物質の投薬分の最大量を決定することになることを意味する。プロファイル又は凹所は、僅かな短い部分的な距離にてのみ歯付きバーに設けられ、前方に変位可能なスリーブの可撓性の要素は、相対的に短い引っ張り動作の後、既に外方に押されており、その結果、少量のみが設定され、第一の排出又は分与操作のため、例えば、プライミングのため分与される。その結果、本発明により提案された投薬分の計量供給機構の自動的な制限動作は、ストッパの距離によって規定された第一の分与操作のため、ユーザがプライミング投薬分以上の投薬分を設定することができないことを確実にするから、ユーザは、最早、プライミング投薬分を別個に設定する必要はない。ある投薬分を注射することを目的とする後続の分与操作のため、歯付きバーの傾斜路の後方にてより長い凹所を歯付きバーに設け、分与すべきより多量の物質を計量供給し且つ、設定することができる。従って、最初に分与される投薬分の量を選ぶことは、本発明により提案された投薬量設定機構により自動的に制御され、このため、ユーザはプライミング投薬分自体を設定することを必要とせずに、少量の投薬分にてプライミング操作を実行し、次に、注射される投薬分を設定することができる。このため、ユーザが最早、プライミング投薬分を設定する選択をすることはなく、このことは、注射装置の不正確な操作又は不正確な設定をほぼ防止することができ、また、ユーザは、注射装置を使用するとき、操作手順を容易に制御することが可能であることを意味する。
【０００８】
本発明により提案される外側スリーブは、前方に変位可能なスリーブの回りに装着するか又はこれと代替的に、前方に変位可能なスリーブの内部に装着し、また、注射装置の外面と接続し又は注射装置の少なくとも一部を形成するようにすることが望ましい一方、前方に変位可能なスリーブは、例えば、ノブのような、設定要素と接続されることが望ましい。
【０００９】
前方に変位可能なスリーブに２つ又はより多くの可撓性の要素を設け、また、可撓性の要素は、例えば、弾性アームの形態にて設け、該弾性アームは、前方に変位可能なスリーブの切欠き又はオリフィス内に配設され、また、当初の状態において、歯付きバー又はプランジャロッドの方向に向けて押されることが望ましい。該歯付きバー又はプランジャロッドは、例えば、前方に変位可能なスリーブ内にて案内されるようにする。前方に変位可能なスリーブ、例えばアームに位置決め片が設けられる。この場合、位置決め片は、歯付きバー又はプランジャロッドの方向を向くことが望ましく、換言すれば、例えば、ほぼ円筒状の形状の前方に変位可能なスリーブを使用するならば、内方に向けることができる。
【００１０】
可撓性の要素又は前方に変位可能なスリーブに設けられた第一のストッパは、ほぼ円筒状の形状の前方に変位可能なスリーブを使用するならば、内方及び外方の双方を向くようにし、また、例えば、耳状突起又はカムの形態にて提供し、これによりカムが外側スリーブの協働する相補的なストッパと当接するように動いて、外側スリーブに摺動可能に取り付けられた前方に変位可能なスリーブが例えば、軸方向に向けて相対的に動くが、ストッパが互いに当たって、これにより、例えば、プライミング投薬量を自動的に設定する迄のみ、動くことを許容する。
【００１１】
例えば、突き出す耳状突起又はカムの形態にて、少なくとも第二のストッパを前方に変位可能なスリーブに更に提供する。この場合、前方に変位可能なスリーブが第一のストッパにより制限されないならば、第二のストッパは、外側スリーブと前方に変位可能なスリーブとの間の相対的な動きを制限することができることが好ましい。その上に第一のストッパが配設された前方に変位可能なスリーブの可撓性の要素が可撓性の要素の偏倚動作のため、歯付きバーの凹所内に位置し、これによりプライミング投薬分よりも大きい投薬分を設定することを可能にする場合、例えば、前方に変位可能なスリーブの第二のストッパと外側スリーブの相補的なストッパとの間の距離に基づいて、注射操作のための最大の投薬分設定量を特定することが可能である。第一及び第二のストッパは、前方に変位可能なスリーブの軸方向に向けて互いに変位状態にて配設され、また、外側スリーブの同一の又はこれと代替的に異なるストッパと協働するようにすることが好ましい。
【００１２】
本発明は、外側スリーブ及び（又は）前方に変位可能なスリーブによって、好ましくは前方に変位可能なスリーブ内を案内される歯付きバーを備え、また、分与プロファイルを画成することのできる少なくとも１つ、好ましくは２つ又はより多くの凹所を有する、上述した型式の投薬量設定機構に更に関する。少なくとも２つの凹所が、例えば歯付きバー又はプランジャロッドの軸方向に向けて一方が他方の後となるように設けられるならば、これらの個別の凹所は傾斜路又は隆起領域によって互いに分離され、このため、凹所内に位置する前方に変位可能なスリーブの可撓性要素の位置決め片をかかる傾斜路によって歯付きバー又はプランジャロッドの中間軸線から外方に押すことができる。この場合、前方に変位可能なスリーブに、また、好ましくは可撓性の要素に設けられた第一のストッパは、歯付きバーから半径方向外方に押されて、外側スリーブの相補的なストッパと共に、注射装置の引っ張り動作を制限し、プライミング投薬分を設定し又は一定にすることができる。原理上、単一の凹所のみを歯付きバーに設けることができ、この場合、前方に変位可能なスリーブの可撓性の要素は、プライミング後に配置し、第一のストッパは別の投薬分の設定を実行することができないようにする。
【００１３】
外側スリーブ及び（又は）前方に変位可能なスリーブ又は該前方に変位可能なスリーブと接続された案内片に捕捉要素が設けられることが好ましい。該捕捉片は、弾性要素又は反発性要素又はアームに取り付けられることが望ましく、この場合、捕捉要素は、その内部に捕捉要素が位置する歯付きバーが一方向に向けて相対的に動くのを許容するが、反対方向への動きは妨害するような設計とされることが好ましい。
【００１４】
捕捉要素は、これらの捕捉要素が歯付きバーの協働する凹所又は歯部内に位置し、歯付きバーを外側スリーブ又は案内片に対し又は前方に変位可能なスリーブに対して注射装置の分与オリフィスに向けて動かすことができるような設計とされることが好ましい。
【００１５】
別の形態のため、本発明は、上述した型式の投薬量設定機構を有する注射装置に関する。
本発明は、上述した型式の注射装置から注射可能な製剤の設定量を分与するプライミング又は準備を行う方法であって、前方に変位可能なスリーブの第一のストッパが外側スリーブの相補的なストッパと当接することにより、第一の所定の距離の後、注射装置の第一の装着動作が制限され、また、第一の投薬分、例えばプライミング投薬分は、好ましくはプライミング目的のため歯付きバー又はプランジャロッドを押すことにより分与され、これにより前方に変位可能なスリーブの第一のストッパによる外側スリーブと前方に変位可能なスリーブとの間の相対的な動きに対する制限がプライミング投薬分を分与する間、又は分与した後に解放されるようにした上記の方法に更に関する。
【００１６】
本発明は、一例としての実施の形態に関して説明する。
【発明を実施するための最良の形態】
【００１７】
図１Ａには、例えば、注射装置の後端を構成し、頂面図にてのみ概略図的に示した歯部分１ｄを有する歯付きバー１が前方に変位可能なスリーブ２内に配設され、該スリーブは図１Ａの左側部に示した前端によってアンプル（図示せず）のストッパに対して押すことができ、これにより歯付きバー１を図１Ａの左方向に向けて動かし、これにより注射装置の分与作用が行われるようにした、本発明により提案される投薬量設定機構の基本位置が示されている。前方に変位可能なスリーブ２が歯付き部分１の回りに配設されている。該スリーブは、本発明により提案された可撓性のアーム又はスナッパー２ｃを有している。該可撓性のアーム又はスナッパーは、図２及び図３に示すように、前方に変位可能なスリーブ２の開口部内に設けられ、半径方向内方又は外方に動くことができる。該アーム又はスナッパーは、図１Ａに示した基本位置にあるとき、歯付きバー１の第一の凹所１ａ内に位置し、このとき、可撓性のアーム２ｃは図示した基本位置にて偏倚されない。このことは、前方に変位可能なスリーブ２が例えばプラスチックで出来ている場合、予め偏倚したスナッパー２ｃの張力は時間の経過に伴って弛緩するから、有益なことである。図１Ａの左側における図示した前端において、前方に変位可能なスリーブ２は、例えば、弾性アーム２ｅのような弾性要素を有しており、該弾性要素の前端には、内方を向いた捕捉要素２ｃが設けられている。該捕捉要素は、歯付きバー１の凹所又は歯部分１ｄ内に位置して、このため図１Ａに示すように、歯付きバー１は注射装置の分与方向に向けて、換言すれば図１Ａの左方向に向けてのみ、前方に変位可能なスリーブ２に対して押すことができる。その反対方向への全ての動きは、歯付きバー１の外面に位置する凹所又は歯部１ｄ内に存在する捕捉要素２ｃによって妨害される。前方に変位可能なスリーブ２は、設定要素として作用するノブ５と固定状態に接続されている。
【００１８】
ノブ５を操作することにより変位させることのできない静止ストッパ４ａを有する外側スリーブ４が前方に変位可能なスリーブ２の回りに設けられている。外側スリーブ４は、案内片３と接続される。該案内片は、前方に変位可能なスリーブ２の前側部分と同様に、捕捉要素３ａを有する弾性アーム３ｂを備えており、該捕捉要素は、上述したように歯付きバー１内に位置し且つ、一方向に向けてのみ相対的な動きを許容することができる。
【００１９】
歯付きバー１は、長手方向に向けて細長い凹所１ａ、１ｃを有している。これらの凹所は、傾斜路１ｂによって互いに分離されている。図示した基本位置において、前方に変位可能なスリーブの可撓性のアーム２ｃは、歯付きバー１の第一の凹所１ａ内に位置しており、このため可撓性アーム２ｃの外面に設けられた第一のストッパ２ａが前方に変位可能なスリーブ２の円周を超えて半径方向に突き出すことはない。
【００２０】
図１Ｂには、ユーザがノブ５を図１Ｂの右側に向けて引っ張ることにより投薬量設定機構を引っ張った後における、図１Ａに示した投薬量設定機構の状態が示されている。ノブ５と接続された前方に変位可能なスリーブ２は外側スリーブ４に対して動かし、歯付きバー１は、捕捉要素３ａによって引っ張り方向に向けて保持され、その結果、可撓性アーム２ｃに設けられた位置決め片２ｄは歯付きバー１の傾斜路１ｂに沿って移動し、このため半径方向外方に押され、ストッパとして作用する可撓性アーム２ｃの外面に設けられた耳状突起２ａは、半径方向外方に押され且つ、引っ張り距離ＰＤの端部にて外側スリーブ４のストッパ４ａに対向する位置となる。その結果、ノブ５を引っ張ることにて実行される外側スリーブ４の引っ張り動作は制限される。このため、前方に変位可能なスリーブ２の第一のストッパ２ａと、図１Ａに示した外側スリーブ４の静止ストッパ４ａとの間の距離ＰＤは、引っ張り動作の最大長さ、従ってプライミング投薬分の最大量を一定にする。引っ張り動作の間、ユーザは、ノブ５を外側スリーブ４から引き出し、その間、歯付きバー１は、外側スリーブ４と固定状態に接続された案内片３に設けられた捕捉要素３ａのため、静止状態に保持されており、このため、歯付きバー１は、引っ張り操作の間、案内片３及び外側スリーブ４に対して動くことができない。このように、前方に変位可能なスリーブ２の弾性アーム２ｅにおける捕捉要素２ｄは、歯付きバー１の軸方向に向けて歯付きバープロファイル１ｄに沿って後方に向けて移動する。
【００２１】
ノブ５を押すことにより、ノブは外側スリーブ４内に押し戻されて、図１Ｃに示したように、分与又はプライミングを実行する用意が整い、その結果、前方に変位可能なスリーブ２の前端に設けられた補足要素２ｃは、歯付きバー１内に位置し且つ、ノブ５と接続された前方に変位可能なスリーブ２によって加えられる圧力を歯付きバー１まで伝達し、歯付きバーは図１Ｃの左側に向けて押され、このため、歯付きバーは図示しないアンプルのストッパを押し、これによりプライミング投薬分が分与されるようにする。これが実行されるとき、前方に変位可能なスリーブ２は歯付きバーに対して動かされない。歯付き要素３ａは歯付きバー１の歯付きプロファイル１ｄに沿って移動する。
【００２２】
距離ＰＤに基づいて一定とされたプライミング投薬分をプライミングし、又は分与した後、投薬量設定機構を再度引っ張って、図１Ｄに示すように注射するための特定の投薬分を設定することができる。この場合、ノブ５を案内片３の捕捉要素３ａによって保持された歯付きバー１に対して引き出すことにより、前方に変位可能なスリーブ２は再度、後方に動かされる。このように、位置決め片２ｄは、歯付きバー１の第二の凹所１ｃの方向に向けて歯付きバー１の傾斜路１ｂから押されて離れ、また、可撓性のアーム２ｃの弾性力によって半径方向内方に第二の凹所１ｃ内に押され、このため、第一のストッパを構成する耳状突起２ａは、外側スリーブ４の静止ストッパ４ａから離れるように動かされ、これにより距離ＰＤによって規定された量よりも多量の投薬分を設定することを可能にする。引っ張り動作の間、前方に変位可能なスリーブ２は、該前方に変位可能なスリーブ２の外面に第二のストッパとして設けられたカム２ｂが外側スリーブ４の静止ストッパ４ａに対向して位置し、これにより引っ張り動作を制限する迄、押すことができる。このため、前方に変位可能なスリーブ２の第二のストッパ２ｂと、図１Ｃに示した外側スリーブ４のストッパ４ａとの間の距離ＡＤは、引っ張り動作の最大長さを規定し、これにより注射すべく分与される投薬分を規定する。このため、分与投薬分を設定するための引っ張り動作は、最早、第一のストッパ２ａによって制限されることはない。プライミングを実行するため、引っ張り動作に関して上述したように、案内片３の捕捉要素３ａは、歯付きバー１を保持する一方、前方に変位可能なスリーブ２の捕捉要素２ｃは、歯付きバー１に沿って移動する。
【００２３】
次に、ノブ５を押し且つ、前方に変位可能なスリーブ２を図１Ｅに示すように摺動させることにより、設定された投薬分を分与することができる。これが実行されるとき、歯付きバー１は、注射装置の分与オリフィスの方向に向けて前方に変位可能なスリーブ２と共に、前方に変位可能なスリーブ２の捕捉要素２ｃによって押されて案内片３の捕捉要素３ａが歯付きバー１に沿って移動するようにする。
【００２４】
従って、前方に変位可能なスリーブ２の可撓性アーム２ｃにおける第一のストッパ２ａを凹所１ａ、１ｃによりそれぞれ画成された歯付きバー１のプロファイルによって傾斜路１ｂ内に且つ傾斜路１ｂ外に動かすことにより、順序制御が実現される。異なる投薬分の順序は、異なる凹所の長さ及び（又は）配置又は歯付きバー１のプロファイルに基づいて設定することができる。また、例えば、説明した実施の形態に関して上述した外側スリーブ４の静止ストッパ４ａに加えて、例えば、外側スリーブ４の協働する凹所及び（又は）切欠きに又は歯付きバー１のプロファイルのその他の傾斜路及び凹所内にその他のストッパを設けることも可能である。
【図面の簡単な説明】
【００２５】
【図１】１Ａないし１Ｅは、異なる操作状態にある歯付きバーを有する本発明により提案された投薬量設定機構の図である。
【図２】歯付きバー内に位置する前方に変位可能なスリーブの可撓性要素の断面図である。
【図３】歯付きバー内に位置する前方に変位可能なスリーブの可撓性要素の断面図である。
【図１】
2008510532.tif 000003
【図２】
2008510532.tif 000004
【図３】
2008510532.tif 000005
【国際調査報告】
2008510532.tif 000006
2008510532.tif 000007
2008510532.tif 000008
2008510532.tif 000009
2008510532.tif 000010
2008510532.tif 000011
2008510532.tif 000012
2008510532.tif 000013
2008510532.tif 000014
2008510532.tif 000015